(57)【要約】  コンテンツを共有するユーザの１人が使用する第１の情報通信装置（１１０）においてコンテンツを共有するユーザが選択されると、選択されたユーザのための共有スペース確保情報を生成してサーバ（１２０）に送信し、共有スペース確保情報に基づきサーバ（１２０）において生成された共有スペースにアクセスするための共有スペース接続情報を第１の情報通信装置（１１０）において受信すると、共有スペース接続情報を、コンテンツを共有するユーザが使用する第２の情報通信装置（１１１）に送信する。
2013136723.tif 000002
【特許請求の範囲】
【請求項１】
サーバと、第１の情報通信装置と、第２の情報通信装置とで構成され、前記サーバ上の記憶領域である共有スペースにおいて、前記第１の情報通信装置及び少なくとも１つの前記第２の情報通信装置によって、少なくとも前記第１の情報通信装置を使用する第１のユーザ及び前記第２の情報通信装置を使用する第２のユーザがコンテンツを共有するためのコンテンツ共有システムであって、
前記第１の情報通信装置は、
前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保部と、
前記共有スペースアドレス情報、及び前記認証情報を前記サーバから受信後、前記認証情報を当該認証情報に対応する前記第２の情報通信装置に前記共有スペースアドレス情報と共に送信する第１の通信部とを備え、
前記サーバは、
前記第１の情報通信装置から受信した前記共有スペース確保情報に基づき前記共有スペース及び前記共有スペースアドレス情報を生成し、前記認証情報を生成し、前記共有スペースアドレス情報及び前記認証情報を前記第１の情報通信装置に送信する共有スペース生成部と、
前記第２の情報通信装置から受信した前記認証情報を認証し、前記第２の情報通信装置の前記共有スペースへのアクセスを許可する認証部とを備え、
前記第２の情報通信装置は、
前記共有スペースアドレス情報及び前記認証情報を前記第１の情報通信装置から受信する第２の通信部と、
前記第２の通信部が受信した前記共有スペースアドレス情報及び前記認証情報を、前記第２の通信部が格納するための第２の記憶部とを備え、
前記第２の通信部は、前記第２の記憶部から前記認証情報を抽出し、前記第２の記憶部に格納された前記共有スペースアドレス情報に基づいて前記サーバの前記認証部に前記認証情報を送信することで前記共有スペースにアクセスする
コンテンツ共有システム。
【請求項２】
前記第１の送信部は、前記アドレス情報に基づいて、前記認証情報を当該認証情報に対応する前記第２の情報通信装置に前記共有スペースアドレス情報と共に送信する
請求項１に記載のコンテンツ共有システム。
【請求項３】
前記第１の情報通信装置は、さらに、少なくとも前記第１のユーザの入力を受け付ける第１の入力受付部を備え、
前記第２の情報通信装置は、さらに、少なくとも前記第２のユーザの入力を受け付ける第２の入力受付部を備え、
前記第１の通信部は、前記第１の入力受付部が受け付けた情報であって、前記共有スペースへのアクセスに用いられる指定情報を前記共有スペース確保情報に含めて送信し、
前記第２の通信部は、前記第２の入力受付部が受け付けた情報であって、前記指定情報に対応する情報を前記認証情報に含めて送信する
請求項１に記載のコンテンツ共有システム。
【請求項４】
前記第２の情報通信装置は、さらに、前記共有スペースにアップロードするコンテンツを生成する第２のコンテンツ生成部を備える
請求項１に記載のコンテンツ共有システム。
【請求項５】
前記第１の情報通信装置は、さらに、少なくとも前記第１のユーザの入力を受け付ける第１の入力受付部を備え、
前記第１の情報通信装置において、
前記共有スペース確保部は、前記第１の入力受付部への入力に基づき、前記第２のコンテンツ生成部が生成するコンテンツの容量を指定するためのコンテンツ容量情報を生成し、
前記第１の通信部は、前記コンテンツ容量情報を、前記共有スペースアドレス情報及び前記認証情報と共に前記第２の情報通信装置に送信し、
前記第２の情報通信装置において、
前記第２のコンテンツ生成部は、前記コンテンツ容量情報によって指定された容量のコンテンツを生成する
請求項４に記載のコンテンツ共有システム。
【請求項６】
前記サーバにおいて、
前記共有スペース生成部は、
生成した前記共有スペースの容量に応じて前記コンテンツ生成部が生成するコンテンツの容量を指定するためのコンテンツ容量情報を生成し、生成したコンテンツ容量情報を前記共有スペースアドレス情報及び前記認証情報と共に前記第１の情報通信装置に送信し、
前記第１の情報通信装置において、
前記第１の通信部は、前記サーバから受信した前記コンテンツ容量情報を、前記共有スペースアドレス情報及び前記認証情報と共に前記第２の情報通信装置に送信し、
前記第２の情報通信装置において、
前記第２のコンテンツ生成部は、前記コンテンツ容量情報によって指定された容量のコンテンツを生成する
請求項４に記載のコンテンツ共有システム。
【請求項７】
前記第２の情報通信装置は、さらに、前記共有スペースにアップロードするコンテンツを生成する第２のコンテンツ生成部を備え、
前記第２の入力受付部がコンテンツの生成を指示する入力を受け付けた場合、
前記第２のコンテンツ生成部はコンテンツを生成し、
前記第２のコンテンツ生成部がコンテンツを生成するごとに、前記第２の通信部は、前記共有スペースにアクセスして前記第２のコンテンツ生成部が生成したコンテンツを前記共有スペースにアップロードする
請求項３に記載のコンテンツ共有システム。
【請求項８】
前記共有スペース確保情報には、前記共有スペースの容量を指定する情報、または前記共有スペースの有効期限を指定する情報が含まれ、
前記共有スペース生成部は、前記共有スペース確保情報で指定された容量及び有効期限の共有スペースを生成する
請求項１〜７のいずれか１項に記載のコンテンツ共有システム。
【請求項９】
前記アドレス情報は、前記第２の情報通信装置によって利用可能な電子メールアドレスである
請求項１〜８のいずれか１項に記載のコンテンツ共有システム。
【請求項１０】
前記第１の情報通信装置は、さらに、前記アドレス情報が記憶されたアドレス情報記憶部を備え、
前記共有スペース確保部は、前記アドレス情報記憶部に記憶されたアドレス情報を選択して前記サーバに送信する
請求項１〜９のいずれか１項に記載のコンテンツ共有システム。
【請求項１１】
前記第１の情報通信装置は、さらに、前記第１の通信部が前記サーバから受信した前記共有スペースアドレス情報及び前記認証情報を、前記第１の通信部が格納するための第１の記憶部を備え、
前記第１の通信部は、前記第１の記憶部から前記認証情報を抽出し、前記第１の記憶部に格納された前記共有スペースアドレス情報に基づいて前記サーバの前記認証部に送信することで前記共有スペースにアクセスする
請求項１〜１０のいずれか１項に記載のコンテンツ共有システム。
【請求項１２】
前記第１の情報通信装置は、さらに、コンテンツを生成する第１のコンテンツ生成部を備え、
前記第１の入力受付部がコンテンツの生成を指示する入力を受けつけた場合、
前記第１のコンテンツ生成部はコンテンツを生成し、
前記第１のコンテンツ生成部がコンテンツを生成するごとに、前記第１の通信部は、前記共有スペースにアクセスして前記第１のコンテンツ生成部が生成したコンテンツを前記共有スペースにアップロードする
請求項３に記載のコンテンツ共有システム。
【請求項１３】
サーバ上の記憶領域である共有スペースにおいて、少なくとも１つの第２の情報通信装置によって、少なくとも前記第２の情報通信装置を使用する第２のユーザとコンテンツを共有するための情報通信装置であって、
前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保部と、
前記共有スペースアドレス情報、及び前記認証情報を前記サーバから受信後、前記認証情報を当該認証情報に対応する前記第２の情報通信装置に前記共有スペースアドレス情報と共に送信する第１の通信部とを備える
情報通信装置。
【請求項１４】
サーバ上の記憶領域である共有スペースにおいて、少なくとも１つの第２の情報通信装置によって、少なくとも前記第２の情報通信装置を使用する第２のユーザとコンテンツを共有するための通信方法であって、
前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保ステップと、
前記共有スペースアドレス情報、及び前記認証情報を前記サーバから受信後、前記認証情報を当該認証情報に対応する前記第２の情報通信装置に前記共有スペースアドレス情報と共に送信する第１の通信ステップとを含む
通信方法。
【請求項１５】
請求項１４に記載の通信方法を情報通信装置に実行させるためのプログラム。
【請求項１６】
サーバと、第１の情報通信装置と、第２の情報通信装置とで構成され、前記サーバ上の記憶領域である共有スペースにおいて、前記第１の情報通信装置及び少なくとも１つの前記第２の情報通信装置によって、少なくとも前記第１の情報通信装置を使用する第１のユーザ及び前記第２の情報通信装置を使用する第２のユーザがコンテンツを共有するためのコンテンツ共有方法であって、
前記第１の情報通信装置が、前記第２の情報通信装置に対応付けられたアドレス情報、及び前記共有スペースを前記サーバ上に生成するための共有スペース確保情報を前記サーバに送信し、前記第２のユーザが当該第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保ステップと、
前記第１の情報通信装置が、前記共有スペースアドレス情報、及び前記認証情報を前記サーバから受信後、前記認証情報を当該認証情報に対応する前記第２の情報通信装置に前記共有スペースアドレス情報と共に送信する第１の通信ステップと、
前記サーバが、前記第１の情報通信装置から受信した前記共有スペース確保情報に基づき前記共有スペース及び前記共有スペースアドレス情報を生成し、前記認証情報を生成し、前記共有スペースアドレス情報及び前記認証情報を前記第１の情報通信装置に送信する共有スペース生成ステップと、
前記サーバが、前記第２の情報通信装置から受信した前記認証情報を認証し、前記第２の情報通信装置の前記共有スペースへのアクセスを許可する認証ステップと、
前記第２の情報通信装置が、前記共有スペースアドレス情報及び前記認証情報を前記第１の情報通信装置から受信し、第２の記憶部に格納する第２の通信ステップと、
前記第２の情報通信装置が、前記第２の記憶部から前記認証情報と前記共有スペースアドレス情報を抽出し、前記認証情報と前記共有スペースアドレス情報に基づいて前記共有スペースにアクセスする共有スペースアクセスステップとを含む
コンテンツ共有方法。
【発明の詳細な説明】
【技術分野】
【０００１】
本発明は、簡略化したユーザ操作でコンテンツを共有するためのコンテンツ共有システム等に関するものである。
【背景技術】
【０００２】
近年、デジタルカメラ、及びスマートフォンなどの携帯端末の普及、並びにｍｉｘｉ（登録商標）、Ｆａｃｅｂｏｏｋ（登録商標）、及びＦｌｉｃｋｒ（登録商標）などのＳＮＳ（Ｓｏｃｉａｌ  Ｎｅｔｗｏｒｋｉｎｇ  Ｓｅｒｖｉｃｅ）、並びにその他のコンテンツ共有サービスの発展により、ユーザが気軽に写真や動画等のコンテンツを撮影し、それらを共有して楽しむ機会が増えている。
【先行技術文献】
【特許文献】
【０００３】
【特許文献１】特開２００８−１９７７４６号公報
【特許文献２】特開２０１１−１４８１９３号公報
【発明の概要】
【発明が解決しようとする課題】
【０００４】
上記のようなコンテンツ共有サービスでは、簡略化したユーザ操作でコンテンツを共有できないことが課題である。【０００５】
そこで本発明は、簡略化したユーザ操作でコンテンツを共有するためのコンテンツ共有システム等を提供することを目的とする。
【課題を解決するための手段】
【０００６】
上記の課題を解決するために、本発明の一態様に係るコンテンツ共有システムは、サーバと、第１の情報通信装置と、第２の情報通信装置とで構成され、前記サーバ上の記憶領域である共有スペースにおいて、前記第１の情報通信装置及び少なくとも１つの前記第２の情報通信装置によって、少なくとも前記第１の情報通信装置を使用する第１のユーザ及び前記第２の情報通信装置を使用する第２のユーザがコンテンツを共有するためのコンテンツ共有システムであって、前記第１の情報通信装置は、前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保部と、前記共有スペースアドレス情報、及び前記認証情報を前記サーバから受信後、前記認証情報を当該認証情報に対応する前記第２の情報通信装置に前記共有スペースアドレス情報と共に送信する第１の通信部とを備え、前記サーバは、前記第１の情報通信装置から受信した前記共有スペース確保情報に基づき前記共有スペース及び前記共有スペースアドレス情報を生成し、前記認証情報を生成し、前記共有スペースアドレス情報及び前記認証情報を前記第１の情報通信装置に送信する共有スペース生成部と、前記第２の情報通信装置から受信した前記認証情報を認証し、前記第２の情報通信装置の前記共有スペースへのアクセスを許可する認証部とを備え、前記第２の情報通信装置は、前記共有スペースアドレス情報及び前記認証情報を前記第１の情報通信装置から受信する第２の通信部と、前記第２の通信部が受信した前記共有スペースアドレス情報及び前記認証情報を、前記第２の通信部が格納するための第２の記憶部とを備え、前記第２の通信部は、前記第２の記憶部から前記認証情報を抽出し、前記第２の記憶部に格納された前記共有スペースアドレス情報に基づいて前記サーバの前記認証部に前記認証情報を送信することで前記共有スペースにアクセスする。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明のコンテンツ共有システムによれば、ユーザは、簡単な操作でコンテンツを共有することができる。
【図面の簡単な説明】
【０００９】
【図１Ａ】図１Ａは、実施の形態に係るコンテンツ共有システムの概要を示す図である。
【図１Ｂ】図１Ｂは、コンテンツ共有システムの動作の概要を示す図である。
【図２Ａ】図２Ａは、本実施の形態に係る第１の情報通信装置の構成を示す図である。
【図２Ｂ】図２Ｂは、認証情報の例を表す図である。
【図３Ａ】図３Ａは、実施の形態に係る第２の情報通信装置の構成を示す図である。
【図３Ｂ】図３Ｂは、共有スペース個別接続情報が電子メールである場合の例を示す図である。
【図４】図４は、実施の形態に係るサーバの構成を示す図である。
【図５】図５は、コンテンツ共有システムの全体の動作の概要を示すフローチャートである。
【図６】図６は、コンテンツ共有システムの全体の動作の詳細を示すフローチャートである。
【図７】図７は、共有スペース確保依頼ステップのフローチャートである。
【図８】図８は、共有スペース生成ステップのフローチャートである。
【図９】図９は、共有スペース個別接続情報送信ステップのフローチャートである。
【図１０】図１０は、共有スペースアクセスステップのフローチャートである。
【図１１】図１１は、コンテンツの容量指定処理を示すフローチャートである。
【図１２】図１２は、コンテンツのアップロード処理のフローチャートである。
【発明を実施するための形態】
【００１０】
（本発明の基礎となった知見）
背景技術で説明したように、コンテンツ共有サービスにより、ユーザが気軽に写真や動画等のコンテンツを撮影し、それらを共有して楽しむ機会が増えている。
【００１１】
従来、コンテンツを共有するシステムとして、予めサーバやサービスにユーザ情報を登録しているユーザ間（端末間）においてコンテンツを共有するシステムがあった（例えば、特許文献１参照）。
【００１２】
また、予め必要なユーザ情報を交換しておいたユーザ間においてコンテンツを共有するシステムがあった（例えば、特許文献２参照）。
【００１３】
しかしながら、上記従来のシステムでは、コンテンツの共有をするために、コンテンツを共有したいメンバー全員が、煩雑なユーザ情報の登録等を行う必要がある。例えば、記念撮影で撮影した写真を、撮影に参加したメンバー全員ですぐにその場で共有したいような場合、その場限りのコンテンツを共有するために煩雑なユーザ情報の登録等を行う必要があることが課題である。
【００１４】
上記の課題を解決するために、本発明の一態様に係るコンテンツ共有システムは、サーバと、第１の情報通信装置と、第２の情報通信装置とで構成され、前記サーバ上の記憶領域である共有スペースにおいて、前記第１の情報通信装置及び少なくとも１つの前記第２の情報通信装置によって、少なくとも前記第１の情報通信装置を使用する第１のユーザ及び前記第２の情報通信装置を使用する第２のユーザがコンテンツを共有するためのコンテンツ共有システムであって、前記第１の情報通信装置は、前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保部と、前記共有スペースアドレス情報、及び前記認証情報を前記サーバから受信後、前記認証情報を当該認証情報に対応する前記第２の情報通信装置に前記共有スペースアドレス情報と共に送信する第１の通信部とを備え、前記サーバは、前記第１の情報通信装置から受信した前記共有スペース確保情報に基づき前記共有スペース及び前記共有スペースアドレス情報を生成し、前記認証情報を生成し、前記共有スペースアドレス情報及び前記認証情報を前記第１の情報通信装置に送信する共有スペース生成部と、前記第２の情報通信装置から受信した前記認証情報を認証し、前記第２の情報通信装置の前記共有スペースへのアクセスを許可する認証部とを備え、前記第２の情報通信装置は、前記共有スペースアドレス情報及び前記認証情報を前記第１の情報通信装置から受信する第２の通信部と、前記第２の通信部が受信した前記共有スペースアドレス情報及び前記認証情報を、前記第２の通信部が格納するための第２の記憶部とを備え、前記第２の通信部は、前記第２の記憶部から前記認証情報を抽出し、前記第２の記憶部に格納された前記共有スペースアドレス情報に基づいて前記サーバの前記認証部に前記認証情報を送信することで前記共有スペースにアクセスする。
【００１５】
これにより、第１の情報通信装置がサーバ上に共有スペースを確保し、コンテンツを共有する全ての第１及び第２の情報通信装置の認証情報を取得して各情報通信装置に送信するため、ユーザは簡単な操作でコンテンツを共有することができる。
【００１６】
また、前記第１の送信部は、前記アドレス情報に基づいて、前記認証情報を当該認証情報に対応する前記第２の情報通信装置に前記共有スペースアドレス情報と共に送信してもよい。
【００１７】
また、前記第１の情報通信装置は、さらに、少なくとも前記第１のユーザの入力を受け付ける第１の入力受付部を備え、前記第２の情報通信装置は、さらに、少なくとも前記第２のユーザの入力を受け付ける第２の入力受付部を備え、前記第１の通信部は、前記第１の入力受付部が受け付けた情報であって、前記共有スペースへのアクセスに用いられる指定情報を前記共有スペース確保情報に含めて送信し、前記第２の通信部は、前記第２の入力受付部が受け付けた情報であって、前記指定情報に対応する情報を前記認証情報に含めて送信してもよい。
【００１８】
このように、指定情報を予め第１のユーザ（以下、代表ユーザとも記載する）と第２のユーザ（以下、参加ユーザとも記載する）との間で決定しておくことで第２のユーザが、当該知り合いではない第１のユーザが作成した共有スペースにアクセスしてしまうことを回避することが可能である。
【００１９】
また、前記第２の情報通信装置は、さらに、前記共有スペースにアップロードするコンテンツを生成する第２のコンテンツ生成部を備えてもよい。
【００２０】
また、前記第１の情報通信装置は、さらに、少なくとも前記第１のユーザの入力を受け付ける第１の入力受付部を備え、前記第１の情報通信装置において、前記共有スペース確保部は、前記第１の入力受付部への入力に基づき、前記第２のコンテンツ生成部が生成するコンテンツの容量を指定するためのコンテンツ容量情報を生成し、前記第１の通信部は、前記コンテンツ容量情報を、前記共有スペースアドレス情報及び前記認証情報と共に前記第２の情報通信装置に送信し、前記第２の情報通信装置において、前記第２のコンテンツ生成部は、前記コンテンツ容量情報によって指定された容量のコンテンツを生成してもよい。
【００２１】
また、前記サーバにおいて、前記共有スペース生成部は、生成した前記共有スペースの容量に応じて前記コンテンツ生成部が生成するコンテンツの容量を指定するためのコンテンツ容量情報を生成し、生成したコンテンツ容量情報を前記共有スペースアドレス情報及び前記認証情報と共に前記第１の情報通信装置に送信し、前記第１の情報通信装置において、前記第１の通信部は、前記サーバから受信した前記コンテンツ容量情報を、前記共有スペースアドレス情報及び前記認証情報と共に前記第２の情報通信装置に送信し、前記第２の情報通信装置において、前記第２のコンテンツ生成部は、前記コンテンツ容量情報によって指定された容量のコンテンツを生成してもよい。
【００２２】
これにより、第２の情報通信装置で生成されるコンテンツの容量が第１の情報通信装置またはサーバによって指定されるため、第２の情報通信装置のユーザは簡易にコンテンツを生成することができる。
【００２３】
また、前記第２の情報通信装置は、さらに、前記共有スペースにアップロードするコンテンツを生成する第２のコンテンツ生成部を備え、前記第２の入力受付部がコンテンツの生成を指示する入力を受け付けた場合、前記第２のコンテンツ生成部はコンテンツを生成し、前記第２のコンテンツ生成部がコンテンツを生成するごとに、前記第２の通信部は、前記共有スペースにアクセスして前記第２のコンテンツ生成部が生成したコンテンツを前記共有スペースにアップロードしてもよい。
【００２４】
これにより、第２の情報通信装置においてコンテンツを生成するごとに、共有スペースにアクセスするため、第２の情報通信装置のユーザは簡易にコンテンツをアップロードすることができる。
【００２５】
また、前記共有スペース確保情報には、前記共有スペースの容量を指定する情報、または前記共有スペースの有効期限を指定する情報が含まれ、前記共有スペース生成部は、前記共有スペース確保情報で指定された容量及び有効期限の共有スペースを生成してもよい。
【００２６】
これにより、第１の情報通信装置を使用する代表ユーザは、共有スペースの容量、及び有効期限を指定することができる。
【００２７】
また、前記アドレス情報は、前記第２の情報通信装置によって利用可能な電子メールアドレスであってもよい。
【００２８】
これにより、ユーザが一般的に利用しているメールアドレスを使って第１及び第２の情報通信装置がサーバにアクセスし、コンテンツを共有することができる。
【００２９】
また、前記第１の情報通信装置は、さらに、前記アドレス情報が記憶されたアドレス情報記憶部を備え、前記共有スペース確保部は、前記アドレス情報記憶部に記憶されたアドレス情報を選択して前記サーバに送信してもよい。
【００３０】
これにより、事前に記憶されたアドレス情報を選択することで、代表ユーザは、より簡易な手続きにより共有スペースを確保できる。
【００３１】
また、前記第１の情報通信装置は、さらに、前記第１の通信部が前記サーバから受信した前記共有スペースアドレス情報及び前記認証情報を、前記第１の通信部が格納するための第１の記憶部を備え、前記第１の通信部は、前記第１の記憶部から前記認証情報を抽出し、前記第１の記憶部に格納された前記共有スペースアドレス情報に基づいて前記サーバの前記認証部に送信することで前記共有スペースにアクセスしてもよい。
【００３２】
また、前記第１の情報通信装置は、さらに、コンテンツを生成する第１のコンテンツ生成部を備え、前記第１の入力受付部がコンテンツの生成を指示する入力を受け付けた場合、前記第１のコンテンツ生成部はコンテンツを生成し、前記第１のコンテンツ生成部がコンテンツを生成するごとに、前記第１の通信部は、前記共有スペースにアクセスして前記第１のコンテンツ生成部が生成したコンテンツを前記共有スペースにアップロードしてもよい。
【００３３】
また、本発明の一態様に係る情報通信装置は、サーバ上の記憶領域である共有スペースにおいて、少なくとも１つの第２の情報通信装置によって、少なくとも前記第２の情報通信装置を使用する第２のユーザとコンテンツを共有するための情報通信装置であって、前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保部と、前記共有スペースアドレス情報、及び前記認証情報を前記サーバから受信後、前記認証情報を当該認証情報に対応する前記第２の情報通信装置に前記共有スペースアドレス情報と共に送信する第１の通信部とを備える。
【００３４】
また、本発明の一態様に係る通信方法は、サーバ上の記憶領域である共有スペースにおいて、少なくとも１つの第２の情報通信装置によって、少なくとも前記第２の情報通信装置を使用する第２のユーザとコンテンツを共有するための通信方法であって、前記第２の情報通信装置に対応付けられたアドレス情報、及び前記共有スペースを前記サーバ上に生成するための共有スペース確保情報を前記サーバに送信し、前記第２のユーザが前記第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保ステップと、前記共有スペースアドレス情報、及び前記認証情報を前記サーバから受信後、前記認証情報を当該認証情報に対応する前記第２の情報通信装置に前記共有スペースアドレス情報と共に送信する第１の通信ステップとを含む。
【００３５】
また、本発明は、上記通信方法を情報通信装置に実行させるためのプログラムとして実現されてもよい。
【００３６】
また、本発明の一態様に係るコンテンツ共有方法は、サーバと、第１の情報通信装置と、第２の情報通信装置とで構成され、前記サーバ上の記憶領域である共有スペースにおいて、前記第１の情報通信装置及び少なくとも１つの前記第２の情報通信装置によって、少なくとも前記第１の情報通信装置を使用する第１のユーザ及び前記第２の情報通信装置を使用する第２のユーザがコンテンツを共有するためのコンテンツ共有方法であって、前記第１の情報通信装置が、前記第２の情報通信装置に対応付けられたアドレス情報、及び前記共有スペースを前記サーバ上に生成するための共有スペース確保情報を前記サーバに送信し、前記第２のユーザが当該第２の情報通信装置によって前記共有スペースにアクセスするための認証情報、及び前記共有スペース確保情報に基づき生成された前記共有スペースのアドレスを表す共有スペースアドレス情報を前記サーバから受信する共有スペース確保ステップと、前記第１の情報通信装置が、前記共有スペースアドレス情報、及び前記認証情報を前記サーバから受信後、前記認証情報を当該認証情報に対応する前記第２の情報通信装置に前記共有スペースアドレス情報と共に送信する第１の通信ステップと、前記サーバが、前記第１の情報通信装置から受信した前記共有スペース確保情報に基づき前記共有スペース及び前記共有スペースアドレス情報を生成し、前記認証情報を生成し、前記共有スペースアドレス情報及び前記認証情報を前記第１の情報通信装置に送信する共有スペース生成ステップと、前記サーバが、前記第２の情報通信装置から受信した前記認証情報を認証し、前記第２の情報通信装置の前記共有スペースへのアクセスを許可する認証ステップと、前記第２の情報通信装置が、前記共有スペースアドレス情報及び前記認証情報を前記第１の情報通信装置から受信し、第２の記憶部に格納する第２の通信ステップと、前記第２の情報通信装置が、前記第２の記憶部から前記認証情報と前記共有スペースアドレス情報を抽出し、前記認証情報と前記共有スペースアドレス情報に基づいて前記共有スペースにアクセスする共有スペースアクセスステップとを含む。
【００３７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【００３８】
以下、実施の形態について、図面を参照しながら説明する。
【００３９】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４０】
（実施の形態）
［コンテンツ共有システムの概要］
まず、本実施の形態に係るコンテンツ共有システムの概要について説明する。
【００４１】
図１Ａは、本実施の形態に係るコンテンツ共有システム１００の概要を示す図である。コンテンツ共有システム１００は、第１の情報通信装置１１０と、複数の第２の情報通信装置１１１と、サーバ１２０とを有する。
【００４２】
ここで、第１の情報通信装置１１０は、コンテンツを共有するユーザの中の代表者（以下、代表ユーザまたは第１のユーザと記載する）が使用する。
【００４３】
また、第２の情報通信装置１１１は、コンテンツを共有する代表ユーザ以外のユーザ（以下、参加ユーザまたは第２のユーザと記載する）が使用する。なお、参加ユーザは少なくとも１人おり、第２の情報通信装置１１１は少なくとも１台あればよいが、以下の本実施の形態では、参加ユーザが複数人おり、第２の情報通信装置１１１が複数あるものとして説明する。
【００４４】
本実施の形態に係るコンテンツ共有システム１００では、代表ユーザが第１の情報通信装置１１０によってサーバ１２０にアクセスすることで、コンテンツを共有するための共有スペースをサーバ１２０上に確保する。同時に、代表ユーザは、参加ユーザ全員の認証情報（後述する参加ユーザが、第２の情報通信装置１１１によってサーバ１２０にアクセスするための情報）をサーバ１２０から受信し、参加ユーザ全員へ送信する。
【００４５】
これにより、参加ユーザは、第２の情報通信装置１１１によって事前にサーバ１２０と手続きをすることなく、認証情報を取得し、サーバ１２０上の共有スペースにアクセスすることができる。つまり、参加ユーザは、複雑な操作をすることなく簡単に共有スペースにおいてコンテンツを共有することができる。
【００４６】
また、代表ユーザは、従来、情報通信装置の複数の機能を駆使してサーバ１２０へのアクセスを行なっていたが、第１の情報通信装置１１０によれば、代表ユーザは、簡略化された操作によりサーバ１２０へアクセスすることが可能である。また、代表ユーザは、簡略化された操作により、参加ユーザに対して、共有スペースに接続するための情報を通知することが可能となる。
【００４７】
第１の情報通信装置１１０及び第２の情報通信装置１１１は、本実施の形態では、スマートフォンであるとして説明されるが、これに限定されない。例えば、第１及び第２の情報通信装置は、デジタルカメラ、またはタブレット端末などであってもよい。
【００４８】
また、サーバ１２０は、サーバ１２０上の共有スペースにアクセスするユーザの情報などを管理する。サーバ１２０は、汎用のコンピュータを含むコンピュータシステムである。
【００４９】
また、共有スペースは、サーバ１２０が管理する記憶装置上に確保される記憶領域である。
【００５０】
図１Ｂは、コンテンツ共有システム１００の動作の概要を示す図である。
【００５１】
まず、代表ユーザが第１の情報通信装置１１０によってサーバ１２０へ共有スペースの確保を依頼し（Ｓ１１０）、確保された共有スペースにおいて、コンテンツを共有するユーザ全員（参加ユーザ及び代表ユーザ）の認証情報を取得する（Ｓ１２０）。
【００５２】
認証情報は、各参加ユーザの第２の情報通信装置１１１に送信され（Ｓ１３０）、代表ユーザ及び各参加ユーザは、認証情報を用いてサーバ１２０上の共有スペースにアクセスし、コンテンツ（例えば、写真）のアップロード（ＵＬ）、及びダウンロード（ＤＬ）を行う（Ｓ１４０）。
【００５３】
図１Ｂに示されるように、サーバ１２０上には、複数の代表ユーザの共有スペースが生成され、各共有スペースは、当該共有スペースの確保依頼を行った代表ユーザと当該代表ユーザが指定した参加ユーザによって共有される。
【００５４】
［第１の情報通信装置の構成］
次に、第１の情報通信装置１１０の構成について説明する。
【００５５】
図２Ａは、第１の情報通信装置１１０の構成を示す図である。
【００５６】
第１の情報通信装置１１０は、第１の入力受付部２０２と、アドレス情報記憶部２０４と、第１の記憶部２０６と、共有スペース確保部２０８と、第１のコンテンツ生成部２２０と、第１の通信部２２２とから構成される。
【００５７】
第１の入力受付部２０２は、第１の情報通信装置１１０を使用する代表ユーザの入力を受け付け、入力の内容に応じて共有スペース確保部２０８、第１のコンテンツ生成部２２０に情報を送信する。第１の入力受付部２０２は、例えば、第１の情報通信装置１１０のボタンや、第１の情報通信装置１１０が有する表示画面に重ね合わされたタッチパネルなどである。
【００５８】
共有スペース確保部２０８は、第１の入力受付部２０２が受け付けた代表ユーザの入力に基づき、共有スペースを確保するための共有スペース確保依頼情報を作成し、第１の通信部２２２を通じてサーバ１２０へ送信する。また、共有スペース確保部２０８は、サーバ１２０に確保された共有スペースにアクセスするための共有スペース接続情報をサーバ１２０から第１の通信部２２２を通じて受信する。
【００５９】
共有スペース確保依頼情報は、共有スペース確保情報と、アドレス情報とを含む情報である。また、共有スペース接続情報は、認証情報、及び共有スペースアドレス情報を含む情報である。
【００６０】
共有スペース確保情報は、サーバ１２０上に共有スペースを確保するための情報であり、サーバ１２０は共有スペース確保情報を受信した場合、サーバ１２０上に共有スペースを生成する。
【００６１】
なお、本実施の形態では、共有スペース確保情報には、共有スペースの容量（記憶容量）を指定する情報、または共有スペースの有効期限を指定する情報が含まれるものとする。したがって、サーバ１２０は、指定された容量、または指定された有効期限の共有スペースを作成する。なお、共有スペース確保情報には、共有スペースの容量や有効期限を含まれなくてもよい。この場合、サーバ１２０は、サーバ１２０上で予め定められた所定の容量及び有効期限で共有スペースを生成する。
【００６２】
アドレス情報は、第１及び第２の情報通信装置のそれぞれに対応付けられた情報である。本実施の形態では、アドレス情報は、第１及び第２の情報通信装置において使用可能な電子メールアドレスであるとして説明される。しかしながら、アドレス情報は、第１及び第２の情報通信装置１１１がスマートフォンなどの携帯端末である場合には、ＳＭＳ（Ｓｈｏｒｔ  Ｍｅｓｓａｇｅ  Ｓｅｒｖｉｃｅ）のアドレス（電話番号）であってもよい。また、第１及び第２の情報通信装置を使用するユーザのＳＮＳのアカウント情報であってもよいし、これらの情報に限定されない。つまり、第１及び第２の情報通信装置のそれぞれに対応付けられた情報とは、第１及び第２の情報通信装置を使用するユーザに対応付けられた情報を含む。
【００６３】
共有スペースアドレス情報は、第１の情報通信装置１１０及び第２の情報通信装置１１１が共有スペースにアクセスするための共有スペースのアドレスを表す情報である。共有スペースアドレス情報は、本実施の形態では、例えば、共有スペースのＵＲＬ情報であるとして説明される。
【００６４】
なお、第１の情報通信装置１１０が、既に有効な共有スペースを確保済みであって、当該共有スペースの共有スペースアドレス情報を取得済みである場合、第１の情報通信装置１１０は、共有スペースアドレス情報を受信しなくてもよい。
【００６５】
例えば、第１の情報通信装置１１０が過去にサーバ１２０にアクセスして共有スペースを利用し、利用した共有スペースの有効な共有スペースアドレス情報が既に第１の記憶部２０６に記憶されている場合などである。この場合、共有スペース確保部２０８は、第１の通信部２２２を通じて、認証情報を対応する第２の情報通信装置１１１それぞれに第１の記憶部２０６から読み出した共有スペースアドレス情報と共に送信する。
【００６６】
認証情報は、第１の情報通信装置１１０及び第２の情報通信装置１１１が共有スペースにアクセスするための情報である。
【００６７】
図２Ｂは、認証情報の例を表す図である。
【００６８】
図２Ｂで示されるように、認証情報は、アドレス情報と対応付けられた情報である。つまり、認証情報は、第１の情報通信装置１１０及び第２の情報通信装置１１１にそれぞれ対応付けられた情報である。認証情報は、本実施の形態では、図２Ｂで示されるように、第１及び第２の情報通信装置にそれぞれに割り当てられるアカウント及びパスワードであるとして説明される。しかしながら、認証情報は、一般的なＷＥＢアプリケーションで典型的に用いられるセッション情報、またはトークン情報などでもよく、また、これらに限定されない。
【００６９】
なお、第１の情報通信装置１１０が、第１の情報通信装置１１０自身に対応する認証情報を既に取得済みである場合、第１の情報通信装置１１０は、第２の情報通信装置１１１にそれぞれ対応付けられた認証情報のみを受信する。例えば、第１の情報通信装置１１０が過去にサーバ１２０にアクセスしたことがあり、有効な認証情報が既に第１の記憶部２０６に記憶されている場合などである。
【００７０】
また、共有スペース確保部２０８は、上述の共有スペースアドレス情報、及び第２の情報通信装置１１１に対応する認証情報を含む情報である共有スペース個別接続情報を、第１の通信部２２２を通じて第２の情報通信装置１１１に送信する。この共有スペース個別接続情報の送信は、アドレス情報に基づいて第２の情報通信装置１１１のそれぞれに対して行われる。
【００７１】
第１のコンテンツ生成部２２０は、第１の入力受付部２０２が受け付けた入力に基づいてコンテンツを生成する。本実施の形態では、第１のコンテンツ生成部２２０は、撮像部２１２を備えるものとして説明される。第１のコンテンツ生成部２２０は、撮像部２１２によってコンテンツとして写真や、動画などのコンテンツを撮影する。撮像部２１２は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ、ＣＣＤ（Ｃｈａｒｇｅ  Ｃｏｕｐｌｅｄ  Ｄｅｖｉｃｅ）カメラなどである。
【００７２】
第１の通信部２２２は、共有スペース確保部２０８から受け付けた共有スペース個別接続情報を第２の情報通信装置１１１のそれぞれに送信する。
【００７３】
また、第１のコンテンツ生成部２２０が生成したコンテンツは、第１の通信部２２２を通じて共有スペースにアップロードされる。また、共有スペースからダウンロードしたコンテンツは、第１の通信部２２２を通じて第１の記憶部２０６に格納される。この場合、第１の通信部２２２を通じたコンテンツのアップロードは、例えば、第１の情報通信装置１１０が図示しないアップロード部を備え、このアップロード部の指示により行われることとしてもよい。同様に、第１の通信部２２２を通じたコンテンツのダウンロードは、例えば、第１の情報通信装置１１０が図示しないダウンロード部を備え、このダウンロード部の指示により行われることとしてもよい。
【００７４】
アドレス情報記憶部２０４には、第２の情報通信装置１１１に対応付けられたアドレス情報が記憶されている。具体的には、アドレス情報記憶部２０４には、電子メールアドレスが記憶されている。アドレス情報記憶部２０４の具体的な構成は特に限定されないが、例えば、ＤＲＡＭ（Ｄｙｎａｍｉｃ  ｒａｎｄｏｍ  ａｃｃｅｓｓ  ｍｅｍｏｒｙ）、ＳＤＲＡＭ（Ｓｙｎｃｈｒｏｎｏｕｓ  ｄｙｎａｍｉｃ  ｒａｎｄｏｍ  ａｃｃｅｓｓ  ｍｅｍｏｒｙ）、フラッシュメモリ、強誘電体メモリ、又はＨＤＤ（Ｈａｒｄ  ｄｉｓｋ  ｄｒｉｖｅ）等のデータを記憶可能な媒体である。
【００７５】
第１の記憶部２０６には、共有スペース接続情報が格納される。また、第１の記憶部２０６には、第１のコンテンツ生成部２２０が生成したコンテンツ、及び共有スペースからダウンロードされたコンテンツが格納される。第１の記憶部２０６の具体的な構成は特に限定されない。第１の記憶部２０６は、アドレス情報記憶部２０４と同様に、データを記憶可能な媒体であればよい。
【００７６】
以上、実施の形態に係る第１の情報通信装置１１０の構成について述べた。
【００７７】
第１の情報通信装置１１０は、サーバ１２０にアクセスすることで、コンテンツを共有するための共有スペースをサーバ１２０上に確保する。
【００７８】
また、第１の情報通信装置１１０は、確保した共有スペースのアドレスを表す共有スペースアドレス情報と、第２の情報通信装置１１１がサーバ１２０にアクセスするための認証情報とをサーバ１２０から受信し、各第２の情報通信装置１１１へ送信する。
【００７９】
これにより、第２の情報通信装置１１１は、事前にサーバ１２０にアクセスすることなく、自身の認証情報を取得し、複雑な操作をすることなく簡単にサーバ１２０上の共有スペースにアクセスすることができる。
【００８０】
［第２の情報通信装置の構成］
次に、第２の情報通信装置１１１の構成について説明する。
【００８１】
図３Ａは、第２の情報通信装置１１１の構成を示す図である。
【００８２】
第２の情報通信装置１１１は、第２の入力受付部３０２と、第２の記憶部３０６と、第２のコンテンツ生成部３２０と、第２の通信部３２２とから構成される。
【００８３】
第２の入力受付部３０２は、第２の情報通信装置１１１を使用する参加ユーザからの入力を受け付け、入力の内容に応じて第２のコンテンツ生成部３２０に情報を送信する。
【００８４】
第２の入力受付部３０２は、第１の入力受付部２０２と同様、例えば、第２の情報通信装置１１１のボタンや、第２の情報通信装置１１１が有する表示画面に重ね合わされたタッチパネルなどである。
【００８５】
第２のコンテンツ生成部３２０は、第２の入力受付部３０２が受け付けた入力に基づいてコンテンツを生成する。第１のコンテンツ生成部２２０と同様に、第２のコンテンツ生成部３２０は撮像部２１２を備え、コンテンツとして写真や、動画などのコンテンツを撮影する。
【００８６】
第２の通信部３２２は、第１の情報通信装置１１０から共有スペース個別接続情報を受信する。第２の通信部３２２が受信する共有スペース個別接続情報は、本実施の形態では、電子メールによって送受信されるものとして説明される。
【００８７】
図３Ｂは、共有スペース個別接続情報が電子メールによって送受信される場合の例を示す図である。
【００８８】
この場合、共有スペースアドレス情報は、電子メール本文中の「ＵＲＬ：」以降の文字列である。また、認証情報は、電子メール本文中の「アカウント：」以降の文字列、及び「パスワード：」以降の文字列である。なお、受信した電子メールは、第２の記憶部３０６に格納される。
【００８９】
また、第２の通信部３２２は、第２の入力受付部３０２が共有スペースへアクセスする入力を受け付けた場合に、第２の記憶部３０６から共有スペースアドレス情報を抽出してサーバ１２０にアクセスする。具体的には、例えば、第２の記憶部３０６に格納されている電子メールの中から、電子メールのＳｕｂｊｅｃｔが「コンテンツ共有」であるメールを検索し、当該電子メール本文中の「ＵＲＬ：」以降の文字列を検索して抽出し、共有スペースにアクセスする。続いて電子メール本文中の「アカウント：」及び「パスワード：」以降の文字列を検索して抽出し、サーバ１２０において認証処理を行う。つまり、第２の通信部３２２は、第２の記憶部３０６から認証情報を抽出してサーバ１２０に送信することで共有スペースにアクセスする。
【００９０】
なお、共有スペース個別接続情報の送受信手段は、電子メールに限定されるものではない。ＳＭＳ、またはＳＮＳによるメッセージサービスなど、一般的なメッセージサービスを用いてもよい。
【００９１】
また、第２の通信部３２２は、第２のコンテンツ生成部３２０が生成したコンテンツを共有スペースにアップロードする。また、第２の通信部３２２は、共有スペースからダウンロードしたコンテンツを第２の記憶部３０６に格納する。
【００９２】
なお、以上の説明において、第２の通信部３２２が、共有スペースアドレス情報を抽出してのサーバ１２０へのアクセスや、コンテンツのアップロードやダウンロードを行うこととしているが、第２の通信部３２２は、第１の情報通信装置１１０やサーバ１２０と間の通信のみを行うこととしてもよい。この場合、第２の通信部３２２を通じたサーバ１２０へのアクセス及びコンテンツのアップロードは、例えば、第２の情報通信装置１１１が図示しないアップロード部を備え、このアップロード部の指示により行われることとしてもよい。同様に、第２の通信部３２２を通じたサーバ１２０へのアクセス及びコンテンツのダウンロードは、例えば、第２の情報通信装置１１１が図示しないダウンロード部を備え、このダウンロード部の指示により行われることとしてもよい。
【００９３】
第２の記憶部３０６には、第２の通信部３２２が第１の情報通信装置１１０から受信した共有スペースアドレス情報及び認証情報が格納される。また、第２の記憶部３０６には、第２のコンテンツ生成部３２０が生成したコンテンツ、及び第２の通信部３２２が共有スペースからダウンロードしたコンテンツが格納される。第２の記憶部３０６の具体的な構成は、特に限定されない。第２の記憶部３０６は、第１の記憶部２０６と同様に、データを記憶可能な媒体であればよい。
【００９４】
以上、実施の形態に係る第２の情報通信装置１１１の構成について述べた。
【００９５】
第２の情報通信装置１１１は、当該第２の情報通信装置１１１を使用する参加ユーザの入力に基づき、共有スペースにアクセスする。このとき参加ユーザは、共有スペースのＵＲＬである共有スペースアドレス情報や、アカウント、またはパスワードなどの認証情報を別途入力することなく簡単に共有スペースにアクセスすることができる。
【００９６】
［サーバの構成］
次に、サーバ１２０の構成について説明する。
【００９７】
図４は、サーバ１２０の構成を示す図である。
【００９８】
サーバ１２０は、共有スペース生成部４０４と、認証情報登録部４０８と、認証部４１２と、サーバ記憶部４１８と、共有スペース管理部４０２とから構成される。
【００９９】
共有スペース生成部４０４は、第１の情報通信装置１１０から共有スペース確保依頼情報を受信する。共有スペース生成部４０４は、受信した共有スペース確保依頼情報に含まれる共有スペース確保情報に基づき、共有スペース管理部４０２を通じてサーバ記憶部４１８に共有スペース４０６を生成する。また、共有スペース生成部４０４は、共有スペース管理部４０２が生成した共有スペースのアドレスを表す共有スペースアドレス情報を受信する。
【０１００】
続いて、共有スペース生成部４０４は、受信した共有スペース確保依頼情報に含まれるアドレス情報に基づき、アドレス情報ごとにそれぞれ１対１で対応する認証情報を生成する。さらに、共有スペース生成部４０４は、共有スペースアドレス情報及び認証情報で構成される共有スペース接続情報を第１の情報通信装置１１０に送信する。
【０１０１】
共有スペース管理部４０２は、共有スペース生成部４０４及び認証部４１２と、共有スペース４０６との間に介在し、共有スペースへのコンテンツの入出力等の共有スペースの管理処理（共有スペースの生成、共有スペースへのコンテンツのアップロード、ダウンロードなど）を行う。
【０１０２】
認証情報登録部４０８は、共有スペース生成部４０４が生成した認証情報を登録する。
【０１０３】
認証部４１２は、第１及び第２の情報通信装置から受信した認証情報と、認証情報登録部４０８に登録された認証情報とを照合することで認証し、第１及び第２の情報通信装置の共有スペース４０６へのアクセスを許可する。
【０１０４】
サーバ記憶部４１８は、サーバ１２０が備える記憶装置（記憶領域）であり、サーバ記憶部４１８には共有スペースが生成される。共有スペース４０６には、第１及び第２の情報通信装置からアップロードされたコンテンツが格納される。サーバ記憶部４１８は、例えばハードディスクドライブなどの記憶装置である。なお、本実施の形態では、サーバ記憶部４１８は、サーバ１２０に内蔵されているが、サーバ記憶部４１８は、ＵＳＢ（Ｕｎｉｖｅｒｓａｌ  Ｓｅｒｉａｌ  Ｂｕｓ）等のインターフェースによりサーバ１２０に接続された記憶装置でもよい。また、サーバ記憶部４１８は、ネットワークを介してサーバ１２０に接続された記憶装置でもよい。
【０１０５】
なお、本実施の形態では、サーバ１２０は、共有スペース管理部４０２を備えるものとして説明するが、共有スペース管理部４０２を備えない構成としてもよい。この場合、共有スペース管理部４０２の機能を共有スペース生成部４０４に持たせることにより、共有スペース管理部４０２は、省略可能である。
【０１０６】
例えば、共有スペース生成部４０４は、受信した共有スペース確保依頼情報に含まれる共有スペース確保情報に基づき、直接サーバ記憶部４１８に共有スペース４０６を生成してもよい。また、例えば、共有スペース生成部４０４は、第１の情報通信装置１１０及び第２の情報通信装置１１１の共有スペースへのコンテンツのアップロード、ダウンロードを管理してもよい。
【０１０７】
［コンテンツ共有システムの全体動作］
次に、コンテンツ共有システム１００の共有スペース全体の動作について説明する。
【０１０８】
図５及び図６は、コンテンツ共有システム１００の全体動作のフローチャートである。
【０１０９】
コンテンツ共有システム１００では、まず、第１の情報通信装置１１０がサーバ１２０に共有スペースの確保依頼を行う（図５のＳ５１０）。
【０１１０】
具体的には、図６で示されるように代表ユーザの入力を受け付け（図６のＳ５１０ａ）、第２の情報通信装置にそれぞれ対応付けられたアドレス情報、及び共有スペースを生成するための共有スペース確保情報をサーバ１２０に送信する（図６のＳ５１０ｂ）。
【０１１１】
次に、サーバ１２０は、共有スペース４０６を生成する（図５のＳ５２０）。
【０１１２】
具体的には、第１の情報通信装置１１０から受信した共有スペース確保情報に基づき共有スペース４０６を生成し（図６のＳ５２０ａ）、共有スペース４０６にアクセスするための共有スペース接続情報（共有スペースアドレス情報＋認証情報）を第１の情報通信装置１１０に送信する（図６のＳ５２０ｂ）。
【０１１３】
次に、第１の情報通信装置１１０は、第２の情報通信装置１１１に共有スペース個別接続情報を送信する（図５のＳ５３０）。
【０１１４】
具体的には、第１の情報通信装置１１０は、アドレス情報に基づいて対応する認証情報のみを含んだ共有スペース個別接続情報を第２の情報通信装置１１１それぞれに送信する（図６のＳ５３０）。
【０１１５】
最後に、第２の情報通信装置１１１は、サーバ１２０上の共有スペース４０６にアクセスする（図５のＳ５４０）。
【０１１６】
具体的には、参加ユーザから共有スペース４０６へアクセスする入力を受け付けた場合（図６のＳ５４０ａ）、第２の情報通信装置１１１は、共有スペース個別接続情報から共有スペースアドレス情報と認証情報とを抽出してサーバ１２０へ送信する（図６のＳ５４０ｂ）。
【０１１７】
続いて、サーバ１２０が認証処理を行う（図６のＳ５４０ｃ）ことで、第２の情報通信装置１１１は、共有スペース４０６にアクセスする。
【０１１８】
以下、図５で示されるステップＳ５１０〜Ｓ５４０のそれぞれについて詳細に説明する。
【０１１９】
［共有スペース確保依頼ステップ］
まず、共有スペース確保依頼ステップ（図５のステップＳ５１０）について詳述する。
【０１２０】
図７は、共有スペース確保依頼ステップのフローチャートである。共有スペース確保依頼ステップは、主に第１の情報通信装置１１０の動作である。
【０１２１】
まず、共有スペース確保部２０８は、共有スペース確保の入力を受け付けると（Ｓ７１０）、第２の情報通信装置１１１にそれぞれ対応するアドレス情報を取得する（Ｓ７２０）。ここで、共有スペース確保の入力には、コンテンツを共有したい参加ユーザの選択入力が含まれることとしてもよい。参加ユーザの選択入力は、例えば、第１の情報通信装置１１０が表示部（図示せず）を備える場合、アドレス情報記憶部２０４に格納されたアドレス情報に対応するユーザの一覧を表示部に表示させ、代表ユーザによる選択入力を受け付けるようにすればよい。そして、選択された参加ユーザに対応するアドレス情報を取得することとすればよい。
【０１２２】
アドレス情報の取得方法は特に限定されないが、本実施の形態では、共有スペース確保部２０８は、アドレス情報記憶部２０４から第２の情報通信装置１１１（参加ユーザ）の電子メールアドレスを取得する。
【０１２３】
このとき、例えば、第１の情報通信装置１１０は、写真などのコンテンツの共有設定、コンテンツ作成、及び編集などを一括して行うことができる、コンテンツ共有システム１００専用の総合アプリケーションを起動してもよい。この場合、上記総合アプリケーションにおいて、参加ユーザ選択用のメニューを設け、このメニュー上からの入力に基づき、アドレス情報記憶部２０４からアドレス情報が選択される。また、第１のコンテンツ生成部２２０で生成した写真などのコンテンツを編集するためのアプリケーション上に、参加ユーザを選択するためのメニューを設けてもよい。
【０１２４】
次に、共有スペース確保部２０８は、アドレス情報を含む共有スペース確保依頼情報を生成する（Ｓ７３０）。ここで、前述の通り、共有スペース確保依頼情報は、参加ユーザのアドレス情報と、共有スペース確保情報として共有スペース４０６の容量及び有効期限を含む。この場合、例えば、上記総合アプリケーションにおいて、生成したい共有スペース４０６の容量及び有効期限の入力をさらに受け付けるようにしてもよい。また、共有スペース確保情報は、共有スペース４０６の容量及び有効期限を含まなくてもよい。この場合、サーバ１２０は、サーバ１２０上で予め定められた所定の容量及び有効期限で共有スペース４０６を生成するようにしてもよい。
【０１２５】
次に、共有スペース確保部２０８は、共有スペース確保依頼情報を第１の通信部２２２を通じてサーバ１２０に送信する（Ｓ７４０）。
【０１２６】
なお、ステップＳ７１０〜ステップＳ７４０の処理順序は、一例であり、必ずしもこの順序でなくてもよい。また、複数のステップが並列処理されてもよい。
【０１２７】
以上の述べたように共有スペース確保依頼ステップでは、代表ユーザは、参加ユーザを選択するだけで、サーバ１２０に対して共有スペース４０６の新規確保の依頼処理を行うことが可能である。
【０１２８】
なお、本実施の形態では、アドレス情報は電子メールアドレスであり、第１の情報通信装置１１０及び第２の情報通信装置１１１のそれぞれにおいて予めアドレス情報が格納されているユーザ間で簡易に共有スペース４０６を確保することが可能である。しかしながら、アドレス情報は、必ずしも事前に格納されている必要はない。例えば、代表ユーザは、上記のステップＳ７１０において、第１の入力受付部２０２にアドレス情報そのものを入力してもよい。
【０１２９】
［共有スペース生成ステップ］
次に、共有スペース生成ステップ（図５のステップＳ５２０）について詳述する。
【０１３０】
図８は、共有スペース生成ステップのフローチャートである。共有スペース生成ステップは、主にサーバ１２０の動作である。
【０１３１】
共有スペース生成ステップは、サーバ１２０が、第１の情報通信装置１１０から送信された共有スペース確保依頼情報を共有スペース生成部４０４が受信したことを契機として開始される。
【０１３２】
まず、共有スペース生成部４０４は、第１の情報通信装置１１０から共有スペース確保依頼情報を受信すると、共有スペース確保情報の内容（共有スペースの容量、及び有効期限）に基づいて、共有スペース管理部４０２を通じてサーバ記憶部４１８に共有スペース４０６を生成する（ステップＳ８１０）。また、共有スペース生成部４０４は、共有スペース４０６の生成と並行して共有スペース４０６のアドレスを表す共有スペースアドレス情報を生成する。
【０１３３】
なお、共有スペース４０６は、サーバ１２０において既に生成されている共有スペースとは重複しないように生成される。また、生成される共有スペース４０６の容量は、予め定められた所定の値であってもよい。例えば、共有スペース生成部４０４が共有スペース確保依頼情報を受信した時点におけるサーバ記憶部４１８内の共有スペース４０６に割り当てることが可能な容量のうち、所定の割合（例えば、１％）を共有スペース４０６に割り当ててもよい。
【０１３４】
また、本実施の形態のように、共有スペース確保情報によって容量が指定されている場合は、共有スペース４０６には、サーバ記憶部４１８の容量のうち、指定された容量が割り当てられる。
【０１３５】
また、共有スペース管理部４０２は、確保した共有スペース４０６に対して、代表ユーザと参加ユーザのみがアクセス可能となるように、アクセス制限をあわせて行うよう、共有スペース生成部４０４に指示するようにしてもよい。
【０１３６】
次に、共有スペース生成部４０４は、第１の情報通信装置１１０（代表ユーザ）と第２の情報通信装置１１１（参加ユーザ）のそれぞれに対して認証情報を生成する（Ｓ８２０）。
【０１３７】
次に、共有スペース生成部４０４は、第１の情報通信装置１１０と第２の情報通信装置１１１のアドレス情報と認証情報を認証情報登録部４０８に登録する（Ｓ８３０）。
【０１３８】
最後に、共有スペース生成部４０４は、共有スペースアドレス情報と認証情報とを含む共有スペース接続情報を生成し、第１の情報通信装置１１０に送信する（Ｓ８４０）。
【０１３９】
なお、ステップＳ８１０〜ステップＳ８４０処理順序は、一例であり、必ずしもこの順序でなくてもよい。また、複数のステップが並列処理されてもよい。
【０１４０】
なお、上述のように、サーバ１２０が共有スペース管理部４０２を有しない構成とする場合、ステップＳ８１０において、共有スペース生成部４０４は、直接サーバ記憶部４１８に共有スペース４０６を生成する。また、この場合、共有スペース生成部４０４は、確保した共有スペース４０６に対して、代表ユーザと参加ユーザのみがアクセス可能となるように、アクセス制限をあわせて行う。
【０１４１】
［共有スペース個別接続情報送信ステップ］
次に、共有スペース個別接続情報送信ステップ（図５のステップＳ５３０）について詳述する。
【０１４２】
図９は、共有スペース個別接続情報送信ステップのフローチャートである。
【０１４３】
個別の共有スペース接続情報送信ステップは、主に第１の情報通信装置１１０の動作である。
【０１４４】
共有スペース個別接続情報送信ステップは、共有スペース確保部２０８が共有スペース接続情報を受信したことを契機に（Ｓ９１０でＹｅｓ）、代表ユーザの入力を受けることなく自動的に開始される。
【０１４５】
共有スペース確保部２０８は、共有スペース接続情報を受信後、まず、第１の記憶部２０６へ当該共有スペース接続情報を格納する（Ｓ９２０）。
【０１４６】
次に、共有スペース確保部２０８は、共有スペース個別接続情報を作成する（Ｓ９３０）。
【０１４７】
ここで、共有スペース個別接続情報が電子メールによって送受信される場合は、図３Ｂで示したような電子メールが作成される。共有スペース接続情報から共有スペースアドレス情報と、第２の情報通信装置１１１に対応する認証情報を選択的に抽出することで、各第２の情報通信装置１１１に対応する共有スペース個別接続情報を生成する。
【０１４８】
次に、共有スペース確保部２０８は、第１の通信部２２２を通じて、第２の情報通信装置１１１のアドレス情報に基づき各第２の情報通信装置１１１に対応する共有スペース個別接続情報を送信する（Ｓ９４０）。
【０１４９】
なお、最後に、第１の情報通信装置１１０は、代表ユーザに共有スペース４０６の生成が完了したことを通知してもよい（Ｓ９５０）。この通知は、例えば、共有スペース確保依頼ステップの説明において触れたコンテンツ共有システム１００専用の総合アプリケーションや、写真などのコンテンツを編集するためのアプリケーション上において行われてもよい。
【０１５０】
なお、ステップＳ９１０〜ステップＳ９５０の処理順序は、一例であり、必ずしもこの順序でなくてもよい。また、並列処理が可能な複数のステップについては並列処理されてもよい。
【０１５１】
［共有スペースアクセスステップ］
次に、共有スペースアクセスステップ（図５のステップＳ５４０）について詳述する。
【０１５２】
図１０は、共有スペースアクセスステップのフローチャートである。
【０１５３】
共有スペースアクセスステップは、主に第２の情報通信装置１１１の動作である。
【０１５４】
まず、第２の通信部３２２は、第２の記憶部３０６に、共有スペース個別接続情報を記憶する（Ｓ１０１０）。共有スペース個別接続情報として記憶する情報は、第１の情報通信装置１１０が共有スペース個別接続情報送信ステップのステップＳ９４０で送信し、第２の通信部３２２が受信した、共有スペースアドレス情報及び認証情報である。なお、共有スペース個別接続情報の記憶は、第２の通信部３２２が共有スペース個別接続情報を受信する都度行ってもよく、予め定められた所定の時間毎に行うこととしてもよい。
【０１５５】
第２の通信部３２２は、第２の入力受付部３０２が受け付けた参加ユーザの共有スペース４０６へのアクセスを意図する入力を契機として（Ｓ１０２０でＹｅｓ）、第２の記憶部３０６から共有スペース個別接続情報を抽出し、サーバ１２０へ送信する（Ｓ１０３０）。
【０１５６】
具体的には、第２の通信部３２２は、抽出した共有スペース個別接続情報のうち、共有スペースアドレス情報に基づいてサーバ１２０にアクセスし、認証情報をサーバ１２０の認証部４１２に送信する。なお、ステップＳ１０３０の処理は、前述のように、第２の通信部３２２が主体的に行うものではなくてもよい。
【０１５７】
参加ユーザの共有スペース４０６へのアクセスを意図する入力は、例えば、第２の情報通信装置１１１上で動作する、コンテンツ共有システム１００専用の総合アプリケーション上で、共有スペース４０６へのアクセスが必要となるメニューを選択するといった単純な入力としてもよい。共有スペース４０６へのアクセスが必要となるメニューとしては、コンテンツのアップロード、コンテンツの参照、コンテンツのダウンロードなどが挙げられる。
【０１５８】
次に、サーバ１２０の認証部４１２は、受信した認証情報を認証情報登録部４０８に登録された情報と照合し、受信した認証情報と登録された情報とが一致した場合、第２の情報通信装置１１１の共有スペース４０６へのアクセスを許可する（Ｓ１０４０）。
【０１５９】
以上のように、第２の情報通信装置１１１は、共有スペース管理部４０２を通じて共有スペース４０６にアクセスする。
【０１６０】
なお、最後に、第２の情報通信装置１１１は、参加ユーザに共有スペース４０６へのアクセスの結果を通知してもよい（Ｓ１０５０）。この通知は、アクセスが許可された場合のみ行うこととしてもよく、アクセスが許可された場合、許可されなかった場合のいずれの場合も行うこととしてもよい。また、この通知は、例えば、第２の情報通信装置１１１上で動作する写真やコンテンツを編集するためのアプリケーション上において行われてもよい。
【０１６１】
なお、ステップＳ１０１０〜ステップＳ１０５０の処理順序は、一例であり、必ずしもこの順序でなくてもよい。また、複数のステップが並列処理されてもよい。
【０１６２】
また、ステップＳ１０２０〜ステップＳ１０４０までの処理は、共有スペース４０６へのアクセスを意図する入力が行われる度に行うこととしてもよい。この場合、ユーザによって選択された、共有スペース４０６へのアクセスが必要となるメニューの実行が完了する度に共有スペース４０６へのアクセスを終了することとしてもよい。また、ステップＳ１０２０〜ステップＳ１０４０までの処理は、総合アプリケーションが起動されてから終了されるまでの間で、共有スペース４０６へのアクセスが必要となるメニューが選択されたときのみ行うこととしてもよい。この場合、総合アプリケーションが終了するまで、共有スペース４０６へのアクセスを維持することとしてもよい。
【０１６３】
また、図１０の例では、ステップＳ１０２０において共有スペース４０６へのアクセス指示入力を受け付けると、ステップＳ１０３０以下の処理によりサーバ１２０へアクセスすることとしたが、ステップＳ１０２０のような、共有スペース４０６へのアクセス指示入力を契機としなくてもよい。例えば、第２の通信部３２２において共有スペース個別接続情報を受信したことを契機としてもよく、所定の時間の経過や所定の時刻の到達を契機としてもよい。
【０１６４】
なお、第１の情報通信装置１１０が共有スペース４０６にアクセスする場合の動作は、上記共有スペースアクセスステップの動作と全く同様である。
【０１６５】
なお、第２の情報通信装置１１１は、共有スペース管理部４０２を通じて共有スペース４０６にアクセスすると説明したが、共有スペース管理部４０２は、上述のように、省略可能である。この場合、第２の情報通信装置１１１は、共有スペース生成部４０４を通じて共有スペース４０６にアクセスする。
【０１６６】
［コンテンツ容量指定］
次に、共有スペース４０６で代表ユーザと参加ユーザが共有するコンテンツの容量指定処理について説明する。
【０１６７】
本実施の形態におけるコンテンツ共有システム１００では、第２の情報通信装置１１１で生成するコンテンツの容量を第１の情報通信装置１１０が指定することが可能である。ここでコンテンツの容量とは、コンテンツの情報量（データ容量）である。コンテンツの容量指定処理は、共有スペース４０６に記憶されるコンテンツの情報量が大きい結果、共有スペース４０６の容量を圧迫することを回避するために、必要に応じて行われる。
【０１６８】
図１１は、コンテンツの容量指定処理を示すフローチャートである。
【０１６９】
まず、第１の入力受付部２０２は、第２のコンテンツ生成部３２０が生成するコンテンツの容量を指定するコンテンツ容量情報を生成する入力を受け付ける（Ｓ１１１０）。この入力は、図７のステップＳ７１０における共有スペース確保依頼入力と共に行われる。例えば、代表ユーザがコンテンツ共有システム１００専用の総合アプリケーション上から入力する。コンテンツ容量情報とは、例えば、コンテンツが写真の場合、写真のデータサイズを指定する情報である。また、写真のデータサイズに代えて、写真の解像度を指定することとしてもよい。
【０１７０】
次に、共有スペース確保部２０８は、第１の通信部２２２を通じて、コンテンツ容量情報を共有スペースアドレス情報及び認証情報と共に第２の情報通信装置１１１それぞれに送信する（Ｓ１１２０）。
【０１７１】
具体的には、図９のステップＳ９４０において、共有スペース個別接続情報（共有スペースアドレス情報及び認証情報）と共に第２の情報通信装置１１１それぞれに送信する。
【０１７２】
次に、第２の情報通信装置１１１の第２の通信部３２２は、受信したコンテンツ容量情報を第２のコンテンツ生成部３２０に送信する。これにより、第２のコンテンツ生成部３２０は、指定された容量のコンテンツを生成する（Ｓ１１３０）。なお、ステップＳ１１３０の処理は、前述のように、第２の通信部３２２が主体的に行うものでなくてもよい。
【０１７３】
なお、このとき第２の情報通信装置１１１は、参加ユーザにコンテンツの容量指定の許可を求める通知を行ってもよい。
【０１７４】
なお、以上で説明したコンテンツの容量指定処理は、共有スペース確保依頼ステップ（図５のステップＳ５１０）で行われてもよい。この場合、共有スペース確保依頼情報にコンテンツ容量情報を含めて送信してもよいし、共有スペース確保依頼情報の送信とは全く別の処理として単独で行われてもよい。
【０１７５】
なお、コンテンツの容量の指定は、第１の情報通信装置１１０ではなくサーバ１２０が行ってもよい。
【０１７６】
具体的には、まず、図８のステップＳ８４０において、共有スペース生成部４０４は、生成した共有スペース４０６の容量に応じて第２のコンテンツ生成部３２０が生成するコンテンツの容量を指定するコンテンツ容量情報を生成する。
【０１７７】
このとき、コンテンツ容量情報は、例えば、コンテンツを生成した共有スペース４０６の容量の０．１％以下の容量にするというように指定される。
【０１７８】
続いて、共有スペース生成部４０４は、共有スペース接続情報（共有スペースアドレス情報及び認証情報）と共に第１の情報通信装置１１０にコンテンツ容量情報を送信する。
【０１７９】
以降の処理は、図１１のステップＳ１１２０及びステップＳ１１３０と全く同じである。
【０１８０】
なお、指定されたコンテンツの容量は、指定された後、参加ユーザが任意に変更可能であってもよい。
【０１８１】
［コンテンツの生成、アップロード］
次に、コンテンツの生成処理及びアップロード処理について詳述する。
【０１８２】
ここで、コンテンツ生成の一例として、図２Ａまたは図３Ａのように、撮像部２１２を備える場合は、撮像部２１２により画像データを生成する処理が挙げられる。また、コンテンツ生成の他の例として、撮像部２１２により生成された画像データに対して、解像度を変更する、セピア調やモノクロのように色調を変更する、一部をトリミングする、他の画像データやテキストデータを重畳する等の加工を行い、新たな画像データを生成することが挙げられる。また、データの加工によりコンテンツを生成する場合、加工の対象となるデータは、撮像部２１２により生成された画像データに限られず、撮影済みの写真等、第１の情報通信装置１１０または第２の情報通信装置１１１において既に記憶されているコンテンツデータとしてもよい。さらに、生成するコンテンツは画像に限らず、テキストデータや音声データ、もしくはこれらのいずれかを結合したものであってもよい。
【０１８３】
図１２は、コンテンツの生成処理及びアップロード処理のフローチャートである。また、図１２は、第２の情報通信装置１１１の動作について説明するが、第１の情報通信装置１１０についても全く同様である。
【０１８４】
本実施の形態では、共有スペース４０６にアップロードするコンテンツを生成する場合、コンテンツを生成するごとに、図１０で示されるサーバ１２０へのアクセス処理が行われる。
【０１８５】
まず、図１２を用いて、第２の情報通信装置１１１の動作について説明する。
【０１８６】
まず、第２の入力受付部３０２が代表ユーザからがコンテンツを生成する入力を受け付けた場合（Ｓ１２１０）、第２のコンテンツ生成部３２０は、撮像部２１２を起動する（Ｓ１２２０）。
【０１８７】
具体的には、例えば、上述の総合アプリケーション上で、撮像部２１２を起動するためのアイコンを選択することで撮像部２１２を起動する。
【０１８８】
その後、撮像部２１２が起動している間（Ｓ１２３０でＮｏ）、第２の情報通信装置１１１は撮像部２１２がコンテンツを撮影したか否かを判定する（Ｓ１２４０）。
【０１８９】
ここで、撮像部２１２がコンテンツを撮影する、とは参加ユーザがシャッタボタンを押して実際に写真を撮影することを意味する。また、第２のコンテンツ生成部３２０がコンテンツ容量情報を既に受信している場合は、コンテンツ容量情報に指定されたデータサイズ以下となるように、撮像部２１２における撮影時の解像度を設定するようにしてもよい。
【０１９０】
撮像部２１２が起動している間は、撮像部２１２がコンテンツを撮影するごとに（Ｓ１２４０でＹｅｓ）、共有スペース４０６へアクセスする処理が行われる（Ｓ１２５０）。
【０１９１】
具体的には、ステップＳ１２５０では、図１０のステップＳ１０３０〜ステップＳ１０５０の処理が行われる。続いて、第２の通信部３２２は、共有スペース４０６に撮影したコンテンツをアップロードする（Ｓ１２６０）。なお、第２の通信部３２２によるコンテンツのアップロードは、例えば、前述のように、第２の情報通信装置１１１が備える、図示しないアップロード部の指示により行われる。
【０１９２】
なお、このとき、第２の情報通信装置１１１は、撮像部２１２がコンテンツを撮影するごとに、参加ユーザへ撮影したコンテンツをアップロードするか否かの許可を求めてもよい。これにより、参加ユーザは、撮影したコンテンツをアップロードするかどうかを都度選択することができる。
【０１９３】
その後、撮像部２１２の起動が終了すれば（Ｓ１２３０でＹｅｓ）、第２の情報通信装置１１１は、参加ユーザにコンテンツ撮影完了を通知して（Ｓ１２７０）コンテンツのアップロード処理を終了する。なお、ステップＳ１２７０の通知処理は省略し、撮像部２１２の起動が終了すれば、そのままコンテンツのアップロード処理を終了することとしてもよい。
【０１９４】
なお、ステップ１２６０で示されるコンテンツのアップロード処理時には、サーバ１２０から、第２の情報通信装置１１１に対してコンテンツアップロードの完了を通知してもよい。また、コンテンツをアップロードした第２の情報通信装置１１１以外の第２の情報通信装置１１１及び第１の情報通信装置１１０に対してコンテンツアップロードの完了を通知しても、もちろんよい。
【０１９５】
なお、コンテンツのアップロード処理は、第１の情報通信装置１１０がコンテンツをアップロードする場合も全く同様である。
【０１９６】
なお、ステップＳ１２１０〜ステップＳ１２７０の処理順序は、一例であり、必ずしもこの順序でなくてもよい。また、複数のステップが並列処理されてもよい。
【０１９７】
［コンテンツのダウンロード］
第２の情報通信装置１１１でコンテンツのダウンロードをする場合、第２の情報通信装置１１１が共有スペース４０６にアクセスした状態で、参加ユーザが第１の入力受付部２０２へコンテンツのダウンロード指示を入力する。なお、コンテンツのダウンロード完了後、第２の情報通信装置１１１は、参加ユーザにコンテンツ撮影完了を通知してもよい。
【０１９８】
また、共有スペース４０６上のコンテンツをダウンロードせずに直接視聴することや、共有スペース４０６上のコンテンツをダウンロードせずに直接編集することも、もちろん可能である。
【０１９９】
なお、代表ユーザが第１の情報通信装置１１０でコンテンツのダウンロード、または編集を行う場合も同様の動作となる。
【０２００】
［変形例１］
なお、第１の情報通信装置１１０が撮影機能を備え、電子メールソフトがインストールされたスマートフォンである場合、第１の情報通信装置１１０におけるアドレス情報記憶部２０４は、電子メールソフトのアドレス帳を利用して実現することができる。また、撮像部２１２は、カメラを利用して実現することができる。第２の情報通信装置１１１についても同様である。
【０２０１】
［変形例２］
サーバ１２０の認証部４１２は、共有スペースアクセスステップ（図５のステップＳ５４０）において、認証情報に加えて代表ユーザが指定した情報（指定情報）を使って第２の情報通信装置１１１を認証してもよい。ここで、代表ユーザが指定した情報とは、例えば、第１の情報通信装置１１０のアドレス情報や代表ユーザと参加ユーザとの間で事前に決めたキーワード、特定のオブジェクトを撮影した写真などである。
【０２０２】
この場合、第１の情報通信装置１１０の共有スペース確保部２０８は、共有スペース確保依頼ステップ（図５のステップＳ５１０）において、共有スペース確保依頼情報に代表ユーザと参加ユーザで決めたキーワードや特定のオブジェクトを撮影した写真を含めてサーバ１２０に送信する。また、第２の情報通信装置１１１の第２の通信部３２２は、共有スペースアクセスステップ（図５のステップＳ５４０）において、認証情報に加えて第１の情報通信装置１１０のアドレス情報や代表ユーザと参加ユーザで決めたキーワード、特定のオブジェクトを撮影した写真を送信する。
【０２０３】
また、第２の情報通信装置１１１の第２の通信部３２２は、共有スペース４０６を作成した第１の情報通信装置１１０のアドレス情報が第２の情報通信装置１１１内に記憶されている場合のみ、共有スペースアクセスステップの処理を実行するようにしてもよい。
【０２０４】
これにより、参加ユーザが知り合いではない代表ユーザが作成した共有スペース４０６にアクセスしてしまうことを回避することが可能である。
【０２０５】
［変形例３］
共有スペース生成ステップ（図５のステップＳ５２０）において、サーバ１２０の共有スペース生成部４０４が認証情報を生成する際、第１の情報通信装置１１０と第２の情報通信装置１１１のそれぞれに対して認証情報を１対１に割り当てなくてもよい。例えば、１つの認証情報が複数の第２の情報通信装置１１１で共用されてもよい。また、共有スペース生成部４０４は第２の情報通信装置１１１の総数だけ認証情報を生成し、第１の情報通信装置１１０が認証情報の割り当てを決めて第２の情報通信装置１１１に配信してもよい。
【０２０６】
この変形例は、例えば、共有スペース４０６を利用する複数のユーザで１つの認証情報を共有する場合に適用することができる。この場合、例えば、共有スペース生成部４０４は、１つの認証情報で認証することのできる端末数またはユーザ数に関する情報を認証情報と対応付けて認証情報登録部４０８内に管理する。そして、認証部４１２は、共有スペース４０６の利用のために認証が成功した端末またはユーザの数をカウントし、認証することのできる端末数またはユーザ数を超える認証があった場合は認証を拒否する。なお、１つの認証情報で認証することのできる端末数またはユーザ数は、例えば、共有スペース４０６の作成依頼時に、代表ユーザが指定するようにすればよい。
【０２０７】
これにより、第１の情報通信装置１１０が、第２の情報通信装置１１１に紐づけずに配信することが可能となり、認証情報を配信するのが容易になる。
【０２０８】
［変形例４］
第１の情報通信装置１１０の第１の通信部２２２は、共有スペース個別接続情報送信ステップ（図５のステップＳ５３０）において、共有スペース個別接続情報を、第２の情報通信装置１１１に対応付けられたアドレス情報を用いることなく、直接第２の情報通信装置１１１の第２の通信部３２２に送信してもよい。直接送信する方法としては、例えば、ＲＦＩＤ（Ｒａｄｉｏ  Ｆｒｅｑｕｅｎｃｙ  ＩＤｅｎｔｉｆｉｃａｔｉｏｎ）などの近距離無線通信、赤外線やＢｌｕｅｔｏｏｔｈ（登録商標）による通信、ＱＲコード（登録商標）の利用が考えられる。
【０２０９】
これにより、インターネットやサーバを経由せずに認証情報を直接配信することが可能となり、認証情報が漏洩するリスクを下げることができる。
【０２１０】
なお、この場合、第１の情報通信装置１１０による共有スペース確保依頼（図５のステップＳ５１０）において、共有スペース確保依頼情報に第２の情報通信装置１１１に対応付けられたアドレス情報は、含まれなくてもよい。
【０２１１】
［その他の変形例］
なお、本発明は以下のようにも変形できる。
【０２１２】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２１３】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０２１４】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０２１５】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【０２１６】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０２１７】
また、本発明は、コンピュータプログラムまたはデジタル信号を、電気通信回線、無線または有線通信回線、インターネットを代表とするネットワーク、データ放送等を経由して伝送してもよい。
【０２１８】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０２１９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０２２０】
（５）上記実施の形態及び上記変形例をそれぞれ組み合わせるとしてもよい。
【０２２１】
［効果］
以上、本発明の一態様に係るコンテンツ共有システムについて実施の形態に基づいて説明した。
【０２２２】
本発明によれば、一の情報通信装置がサーバ上に共有スペースを確保し、コンテンツを共有する全ての情報通信装置の認証情報を取得して各情報通信装置に送信する。このため、ユーザは、予め所定のサーバやサービスにユーザ情報を登録することなく、簡単な操作でコンテンツを共有することができる。
【０２２３】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【産業上の利用可能性】
【０２２４】
本発明に係るコンテンツ共有システムでは、情報通信装置のユーザは予め所定のサーバやサービスにユーザ情報を登録することなく、簡単な操作でコンテンツを共有することができる。したがって、複数ユーザ間でコンテンツを共有するような情報システムとして有用である。
【符号の説明】
【０２２５】
１１０  第１の情報通信装置
１１１  第２の情報通信装置
１２０  サーバ
２０２  第１の入力受付部
２０４  アドレス情報記憶部
２０６  第１の記憶部
２０８  共有スペース確保部
２１２  撮像部
２２０  第１のコンテンツ生成部
２２２  第１の通信部
３０２  第２の入力受付部
３０６  第２の記憶部
３２０  第２のコンテンツ生成部
３２２  第２の通信部
４０２  共有スペース管理部
４０４  共有スペース生成部
４０６  共有スペース
４０８  認証情報登録部
４１２  認証部
４１８  サーバ記憶部
【図１Ａ】
2013136723.tif 000003
【図１Ｂ】
2013136723.tif 000004
【図２Ａ】
2013136723.tif 000005
【図２Ｂ】
2013136723.tif 000006
【図３Ａ】
2013136723.tif 000007
【図３Ｂ】
2013136723.tif 000008
【図４】
2013136723.tif 000009
【図５】
2013136723.tif 000010
【図６】
2013136723.tif 000011
【図７】
2013136723.tif 000012
【図８】
2013136723.tif 000013
【図９】
2013136723.tif 000014
【図１０】
2013136723.tif 000015
【図１１】
2013136723.tif 000016
【図１２】
2013136723.tif 000017
【国際調査報告】
2013136723.tif 000018
2013136723.tif 000019